(57)【要約】    【課題】  手術器械等の器材管理において、取り扱い性の良い管理票を実現できる技術を提供すること。    【解決手段】    図１は、本発明耐熱性タグの基本構成を示す概念的説明図である。図示するように本発明耐熱性タグ１０は、情報が記載されたラベル１と、ラベル１を被覆する保護膜２と、ラベル１−保護膜２結合体に接着されている台座５とからなり、保護膜２および台座５は耐熱性であることを、基本的構成とする。【選択図】  図１
2017223923.tif 000002
【特許請求の範囲】
【請求項１】
情報が記載されたラベルと、該ラベルを被覆する保護膜と、該ラベル−保護膜結合体に接着されている台座とからなり、該保護膜および該台座は耐熱性であることを特徴とする、耐熱性タグ。
【請求項２】
器材管理用であって、該器材の洗浄処理時または滅菌処理時の少なくともいずれかにおいて該器材とともに処理に供されることを特徴とする、請求項１に記載の耐熱性タグ。
【請求項３】
前記情報は前記器材管理に係る情報であって、二次元コードまたはその他の光学読取り用コードを含むことを特徴とする、請求項２に記載の耐熱性タグ。
【請求項４】
前記保護膜は前記ラベルの両面に設けられ、前記台座は前記ラベル−保護膜結合体の両面に設けられることを特徴とする、請求項１ないし３のいずれかに記載の耐熱性タグ。
【請求項５】
前記ラベルはテープ形ラベルであることを特徴とする、請求項１ないし４のいずれかに記載の耐熱性タグ。
【請求項６】
前記台座に、外部の係止対象に係止するための係止手段が設けられていることを特徴とする、請求項１ないし５のいずれかに記載の耐熱性タグ。
【請求項７】
請求項１ないし６のいずれかに記載の耐熱性タグを、その適用対象である器材とともに洗浄処理または滅菌処理の少なくともいずれかに供することを特徴とする、耐熱性タグを用いた器材高温処理方法。
【請求項８】
カメラ部ならびにそれによる入力情報を処理する撮像処理手段を備えた携帯情報端末と、該携帯情報端末との間で所定の管理情報を通信する情報処理手段と、管理対象であるところの器材に付けられた二次元コードまたはその他の光学読取り用コードと、および請求項１ないし６のいずれかに記載の耐熱性タグとからなる器材管理システムであって、該カメラ部は該器材に付けられたサイズの該光学読取り用コードを撮像可能な仕様を備えており、該耐熱性タグに記載される情報は、二次元コードまたはその他の光学読取り用コードを含む該器材の管理に係る情報であることを特徴とする、器材管理システム。
【請求項９】
請求項１ないし６のいずれかに記載の耐熱性タグと、その適用対象である器材とからなるセットであって、該耐熱性タグには該器材の管理に係る情報が記載されていることを特徴とする、相互に関係づけられた耐熱性タグ−器材セット。
【発明の詳細な説明】
【技術分野】
【０００１】
本発明は耐熱性タグ、耐熱性タグを用いた器材高温処理方法、耐熱性タグを用いた器材管理システム、および、相互に関係づけられた耐熱性タグ−器材セットに係り、特に、病院での各種手術に使用する手術器械管理等、正確な管理を要求される器材管理における、取り扱い性の良い管理票を実現できる耐熱性タグ、当該耐熱性タグを用いた器材高温処理方法、耐熱性タグを用いた器材管理システム等に関するものである。
【背景技術】
【０００２】
病院内では、膨大な種類の手術器械が使用されており、その管理や準備にかかる労力の軽減や、器械セットの過誤の防止は、重要な課題である。手術器械の準備・管理の現状について、概要を説明する。
手術実施が決定されると、手術に必要な基本器械と、その術式で医師が必要とする特殊器材が準備される。特殊器材は、たとえば診療科名・器材名・器材点数・滅菌方法等を記載した器材リストに沿って専用の袋に同封され、滅菌処理がなされる。手術器械を展開する際は、管理のために、上記器材リストも一緒に置いておく。
【０００３】
手術が完了した後は、使用後の器械一式と器材リストは、洗浄要員に申し送られる。洗浄要員は、器材リストに記載されている内容に基づき器械を洗浄カゴ等に入れ、器械洗浄機によりこれらを洗浄処理、また、滅菌処理する。洗浄、滅菌処理後、各器材は器材リストに記載された種類・数と照合確認され、確認後、再び器材リストと一緒に保管される。手術室には、このような器械のセットが膨大にあるため、その管理は重労働である。特に、次の点が問題となっている。
ａ）セットされた器械の数が合っていても、その内容（種類）の誤りが発生することがある。
ｂ）器械の紛失が発生することがある。
ｃ）器械の修理履歴（修理の有無、修理内容、修理依頼先等）を知りたくても、それがわからないことがある。
【０００４】
このような問題に対しては、たとえば、画面で読取り入力された手術器械を順次特定して最終的な手術器械準備の確認が可能な手術器械準備システム（後掲特許文献１）や、ＩＣタグ等を器械に付けて管理するシステム（特許文献２）も従来提供されている。しかし、上記文献１開示技術では、鋼製の手術器械上の光学読取り用コード読取りの際に読取り装置から発せられる光によるハレーション対策として、専用の高価な読取り装置が必要である。また、上記文献２開示技術のようなＩＣタグやＩＣチップを用いた管理システムは実際に提供されているが、相当高額であり、容易に導入できるものではない。
【０００５】
かかる技術背景を踏まえて出願人は先に、正確な器材管理をより簡単な技術を用いて可能とし、それによって従来の管理業務の労力軽減および管理上の諸問題を容易に解消することができ、しかも作業従事者が容易に操作することができ、また、より低コストとすることで導入・普及も容易な、器材管理システム等を発明し、特許取得した（特許文献３）。これは、カメラ部ならびにそれによる入力情報を処理する撮像処理手段を備えた携帯情報端末と携帯情報端末との間で所定の管理情報を通信する情報処理手段とからなり、カメラ部は管理対象であるところの器材に付けられた光学読取り用コードを撮像可能な仕様を備えている構成の器材管理システムを主とした発明である。より詳しくは、下記の通りである。
【０００６】
〔ｐ１〕  カメラ部ならびにそれによる入力情報を処理する撮像処理手段を備えた携帯情報端末と、該携帯情報端末との間で所定の管理情報を通信する情報処理手段とからなる器材管理システムであって、該カメラ部は、管理対象であるところの器材に付けられた光学読取り用コードを撮像可能な仕様を備えていることを特徴とする、器材管理システム。
〔ｐ２〕  カメラ部ならびにそれによる入力情報を処理する撮像処理手段を備えた携帯情報端末と、該携帯情報端末との間で所定の管理情報を通信する情報処理手段と、管理対象であるところの器材に付けられた光学読取り用コードとからなる器材管理システムであって、該カメラ部は該器材に付けられたサイズの該光学読取り用コードを撮像可能な仕様を備えていることを特徴とする、器材管理システム。
〔ｐ３〕  前記器材は手動利器であることを特徴とする、〔ｐ１〕または〔ｐ２〕に記載の器材管理システム。
〔ｐ４〕  前記カメラ部は５ｍｍ角以下のサイズの該光学読取り用コードを撮像可能な仕様を備えていることを特徴とする、〔ｐ１〕ないし〔ｐ３〕のいずれかに記載の器材管理システム。
〔ｐ５〕  前記カメラ部には前記仕様として接写撮影用レンズを用いることを特徴とする、〔ｐ１〕ないし〔ｐ４〕のいずれかに記載の器材管理システム。
〔ｐ６〕  前記器材には前記光学読取り用コードと固有に関連付けられたＩＤコードが併せて付されており、該ＩＤコードは、漢字、平仮名または片仮名の少なくともいずれかを含んで構成されていることを特徴とする、〔ｐ１〕ないし〔ｐ５〕のいずれかに記載の器材管理システム。
〔ｐ７〕  前記携帯情報端末は、前記ＩＤコードが入力されることにより、該ＩＤコードに対応する光学読取り用コードを生成してこれを前記情報処理手段に通信可能なように構成されていることを特徴とする、〔ｐ６〕に記載の器材管理システム。
〔ｐ８〕  前記情報処理手段はクラウドコンピューティングシステムであることを特徴とする、〔ｐ１〕ないし〔ｐ７〕のいずれかに記載の器材管理システム。
〔ｐ９〕  前記光学読取り用コードはクイックレスポンス（ＱＲ）コードまたはその他の二次元コードであることを特徴とする、〔ｐ１〕ないし〔ｐ８〕のいずれかに記載の器材管理システム。
なお、二次元コードにはＧＳ１ＤａｔａＭａｔｒｉｘ等も含まれる。
〔ｐ１０〕  前記器材は金属製、または光照射によってハレーションを起こし得る材料製であることを特徴とする、〔ｐ１〕ないし〔ｐ９〕のいずれかに記載の器材管理システム。
〔ｐ１１〕  前記器材は手術器械であることを特徴とする、〔ｐ１〕ないし〔ｐ１０〕のいずれかに記載の器材管理システム。
〔ｐ１２〕  〔ｐ１〕ないし〔ｐ１０〕のいずれかに記載の器材管理システムを用いて、管理対象器材のデータベースを構築し、実際の器材に付けられた光学読取り用コードにより該器材を該データベースと照合することに基づいて該器材を管理することを特徴とする、器材管理方法。
〔ｐ１３〕  前記管理対象器材が手術器械であることを特徴とする、〔ｐ１２〕に記載の器材管理方法。
〔ｐ１４〕  カメラ部ならびにそれによる入力情報を処理する撮像処理手段を備えた携帯情報端末を用いて、微小サイズの光学読取り用コードを読取る方法であって、該コードを撮像可能な仕様として接写撮影用レンズを用いることを特徴とする、光学読取り用コード読取り方法。
〔ｐ１５〕  カメラ部ならびにそれによる入力情報を処理する撮像処理手段を備えた携帯情報端末を用いて器材に付けられた光学読取り用コードを読取る方法であって、該コードを撮像可能な仕様として接写撮影用レンズを用いることを特徴とする、光学読取り用コード読取り方法。
〔ｐ１６〕  〔ｐ１４〕または〔ｐ１５〕に記載の光学読取り用コード読取り方法の読取り対象であるところの光学読取り用コードが付けられていることを特徴とする、コード付き器材。
〔ｐ１７〕  前記光学読取り用コードと固有に関連付けられた、漢字、平仮名または片仮名の少なくともいずれかを含んで構成されているＩＤコードが併せて付けられていることを特徴とする、〔ｐ１６〕に記載のコード付き器材。
〔ｐ１８〕  前記光学読取り用コードまたは前記ＩＤコードはレーザーマーキングにより付けられていることを特徴とする、〔ｐ１６〕または〔ｐ１７〕に記載のコード付き器材。
【先行技術文献】
【特許文献】
【０００７】
【特許文献１】特開平６−１４２１０５号公報「手術器械準備システム」
【特許文献２】特開２０１４−２２８９９６号公報「ＩＣタグ付き鋏状手動利器及びその製造方法」
【特許文献３】特許５９２４６０８号公報「器材管理システム、器材管理方法、およびコード付き器材」
【発明の概要】
【発明が解決しようとする課題】
【０００８】
さて、上記文献３開示の器材管理システム、器材管理方法、光学読取り用コード読取り方法、およびコード付き器材によって、従来よりも簡単かつ安価な技術を用いて正確な器材管理を行うことができ、それによって従来の管理業務の労力を大幅に軽減することができるようになった。また、同システム等は従来技術よりも低コストであり、経営規模に関わらず容易に導入することができ、普及拡大もしやすい。したがって、医療分野を初めとして、器材管理を要する全分野および関連分野にて大いに有用性を有するものである。
【０００９】
しかしながら、かかる器材管理システム等の有用性をさらに高めることは可能である。たとえば、先に述べた手術器械等を扱う医療分野においては、熟練者に頼らず多種の手術器械を管理したいという要望がある。これについて従来は、診療科名・器械名・全器械数量等をテープ形ラベル（例  テプラ（登録商標））に記載してそれをシリコンシートに貼ったもの、すなわちラベル貼付シートによる管理票を用い、これを器材と一緒にして管理し、また洗浄・滅菌処理等を行っている。
【００１０】
しかし、テープ形ラベルはシリコンシートから剥がれやすく、殊に洗浄・滅菌処理という高温に曝す処理では、耐熱性がないために、剥がれや紛失が発生しやすい。かかる取り扱い性の悪さにより器械内容の間違い、行方不明、修復履歴や修復等依頼先の不明など、多くの問題が発生する。さらに、テープ形ラベルは物理的に記述スペースが限られているため、記載できる情報には自ずと限界がある。現状の管理方法では、手術器械管理に必要な情報を記載するには不十分な場合がある。これらの問題は、手術器械管理分野に限定されず、特に管理工程中に高温処理を含み、正確な管理を要求される器材の使用・管理分野において共通する。
【００１１】
そこで本発明が解決しようとする課題は、かかる従来技術の問題点を踏まえ、文献３開示の器材管理システム等による器材管理において、取り扱い性の良い管理票を実現できる技術を提供することである。また本発明の課題は、器材管理システム等による器材管理において、洗浄・滅菌処理のような高温処理が必要な場合であっても、取り扱い性の良い管理票を実現することのできる、耐熱性タグ、当該耐熱性タグを用いた器材高温処理方法、耐熱性タグを用いた器材管理システムを提供することである。なお、本発明の課題は手術器械分野には限定されず、正確な管理を要求される器材の使用・管理分野を広く含むものである。また、本発明の課題である耐熱性タグは必ずしも器材管理システム中での使用のみに限定されない。単独使用も課題の範囲内、発明の想定内である。
【課題を解決するための手段】
【００１２】
本願発明者は上記課題について鋭意検討した。その結果、従来のようにラベル形テープをただシリコンシートに貼付して管理票（タグ）とするのではなく、ラベル形テープの両面を保護する耐熱性の膜等を用いてタグとすることにより課題解決できることを見出し、これに基づいて本発明を完成するに至った。すなわち、上記課題を解決するための手段として本願で特許請求される発明、もしくは少なくとも開示される発明は、以下の通りである。
【００１３】
〔１〕  情報が記載されたラベルと、該ラベルを被覆する保護膜と、該ラベル−保護膜結合体に接着されている台座とからなり、該保護膜および該台座は耐熱性であることを特徴とする、耐熱性タグ。
〔２〕  器材管理用であって、該器材の洗浄処理時または滅菌処理時の少なくともいずれかにおいて該器材とともに処理に供されることを特徴とする、請求項１に記載の耐熱性タグ。
〔３〕  前記情報は前記器材管理に係る情報であって、二次元コードまたはその他の光学読取り用コードを含むことを特徴とする、請求項２に記載の耐熱性タグ。
【００１４】
〔４〕  前記保護膜は前記ラベルの両面に設けられ、前記台座は前記ラベル−保護膜結合体の両面に設けられることを特徴とする、請求項１ないし３のいずれかに記載の耐熱性タグ。
〔５〕  前記ラベルはテープ形ラベルであることを特徴とする、請求項１ないし４のいずれかに記載の耐熱性タグ。
〔６〕  前記台座に、外部の係止対象に係止するための係止手段が設けられていることを特徴とする、請求項１ないし５のいずれかに記載の耐熱性タグ。
〔７〕  請求項１ないし６のいずれかに記載の耐熱性タグを、その適用対象である器材とともに洗浄処理または滅菌処理の少なくともいずれかに供することを特徴とする、耐熱性タグを用いた器材高温処理方法。
【００１５】
〔８〕  カメラ部ならびにそれによる入力情報を処理する撮像処理手段を備えた携帯情報端末と、該携帯情報端末との間で所定の管理情報を通信する情報処理手段と、管理対象であるところの器材に付けられた二次元コードまたはその他の光学読取り用コードと、および請求項１ないし６のいずれかに記載の耐熱性タグとからなる器材管理システムであって、該カメラ部は該器材に付けられたサイズの該光学読取り用コードを撮像可能な仕様を備えており、該耐熱性タグに記載される情報は、二次元コードまたはその他の光学読取り用コードを含む該器材の管理に係る情報であることを特徴とする、器材管理システム。
〔９〕  請求項１ないし６のいずれかに記載の耐熱性タグと、その適用対象である器材とからなるセットであって、該耐熱性タグには該器材の管理に係る情報が記載されていることを特徴とする、相互に関係づけられた耐熱性タグ−器材セット。
【発明の効果】
【００１６】
本発明の耐熱性タグ、耐熱性タグを用いた器材高温処理方法、耐熱性タグを用いた器材管理システム、および、相互に関係づけられた耐熱性タグ−器材セットは上述のとおりに構成されるため、これらによれば、文献３開示の器材管理システム等による器材管理において、取り扱い性の良い管理票を実現することができる。特に、洗浄・滅菌処理のような高温処理が必要な場合であっても、耐熱性を備えることによって取り扱い性の良い管理票を実現することができる。また、同耐熱性タグは耐水性も具備するものとすることができる。
【００１７】
なお、本発明耐熱性タグ、器材管理システム等は手術器械分野には限定されず、正確な管理を要求される器材の使用・管理分野において用い、上記効果を得ることができる。また、本発明耐熱性タグは必ずしも器材管理システム中での使用のみに限定されず、単独使用も可能である。本発明は、医療分野等の洗浄処理や滅菌処理が必要な器材を管理対象とする場合に、洗浄・滅菌対応の「耐熱耐水性のタグ」を提供するものとして、特に有効である。
【図面の簡単な説明】
【００１８】
【図１】本発明耐熱性タグの基本構成を示す概念的説明図である。
【図２】本発明耐熱性タグの実施例（Ｂタイプ  ＰＥＴテープ方式）を示す説明図である。
【図３】本発明耐熱性タグの実施例（Ａタイプ  サンドウィッチ方式）を示す説明図である。
【図４】本発明耐熱性タグの実施例（リング仕様）を示す説明図である。
【図５】本発明耐熱性タグを熱処理試験した結果を示す写真図である（サンドウィッチ方式の台座の厚さ）。
【図６】本発明耐熱性タグを熱処理試験した結果を示す写真図である（図２、３の例）。
【図７】本発明耐熱性タグに係るテープ形ラベルの設計例を示す説明図である。
【図８】本発明耐熱性タグに係るテープ形ラベルの設計例（セット内の洗浄方法が全て同一の場合）を示す説明図である。
【図９】本発明耐熱性タグに係るテープ形ラベルの設計例（セット内の洗浄方法が少なくとも一部異なる場合）を示す説明図である。
【図１０】本発明の器材管理システムの基本構成を示す概念図である。
【発明を実施するための形態】
【００１９】
以下、図面により本発明を詳細に説明する。なお各図には、具体的な仕様や構成が示されている場合があるが、それらは一例であり、本発明がそれらに限定されるものではない。他の仕様・構成でももちろんよい。また、各図中の○付Ｒは「登録商標」を示し、特に「テプラ（登録商標）」を示す。
図１は、本発明耐熱性タグの基本構成を示す概念的説明図である。図示するように本発明耐熱性タグ１０は、情報が記載されたラベル１と、ラベル１を被覆する保護膜２と、ラベル１−保護膜２結合体に接着されている台座５とからなり、保護膜２および台座５は耐熱性であることを、基本的構成とする。
【００２０】
かかる構成により本耐熱性タグ１０は、ラベル１を被覆保護する保護膜２と、同じく被覆保護機能を有する台座５とにより全体が被覆保護され、しかも保護膜２および台座５は耐熱性であるため、タグ１０を 洗浄・滅菌処理のような高温処理に供した場合であっても、熱によりラベル１が変質したり、ラベル上の記載内容が損なわれたり、ラベル１が剥がれたりすることが防止され、取り扱い性に優れた管理票とすることができる。
【００２１】
また、本耐熱性タグ１０は耐熱性のみならず耐水性も具備する構成とすることができるため、それによって、内部のラベル１に水が浸入することが防止され、ラベル１が変質したり、ラベル上の記載内容が損なわれたり、ラベル１が剥がれたりすることが防止され、取り扱い性に優れた管理票とすることができる。したがって、上述特許文献３開示の器材管理システム等による器材管理においても、また単独の使用においても、取り扱い性の良い管理票を実現することができる。
【００２２】
台座５は、ラベル１ないしはラベル１−保護膜２結合体（以下、「ラベル１等」ともいう。）を支持する媒体であるとともに、それ自体は薄くかつ軽量であって取扱いの安定性を欠くラベル１等に対して、比較すればより厚さと重量を有することにより、取り扱い性を担保するものである。また、台座５も保護膜２同様、ラベル１を保護する保護膜としての機能を備える。
【００２３】
本耐熱性タグ１０は、手術器械その他の器材管理用として、管理対象器材の洗浄処理時または滅菌処理時といった高温処理において、当該器材とともに処理に供することができる。器材管理のその他の工程においても、管理票として常に管理対象器材に伴わせて用いることができる。
【００２４】
ラベル１には、管理対象器材を管理するための適宜の情報を記載できるが、文字・数字・記号等の直接表示情報のみならず、二次元コードまたはその他の光学読取り用コードをも記載した構成とすることができる。二次元コードの場合は、たとえばクイックレスポンス（ＱＲ）コード、ＧＳ１ＤａｔａＭａｔｒｉｘ等適宜のものを用いることができる。光学読取り用コードによって、文字等の直接表示記載よりも小さなスペースで、より大量の情報を取扱うことができ、便利である。たとえば、管理対象器材の画像情報等である。
【００２５】
本発明耐熱性タグ１０は、管理対象の器材と一緒の動きでこれを用い、洗浄機に入れて洗浄処理したり、滅菌バックに一緒に入れてそのまま滅菌処理に供することができるが、それに加えた利点もある。つまり、本タグ１０に文字等により記載された表示と管理対象器材との関係がわからなくなったとしても、光学読取り用コードを備えた耐熱性タグ１０であれば、それによってたとえば管理対象器材の画像を確認し、照合することができる。また、耐熱性タグ１０が管理対象器材と離れて存在していれば、その器材が迷子になっていること、つまり正しく管理されていない状態であることがわかり、対処することができる。
【００２６】
図２は、本発明耐熱性タグの実施例（Ｂタイプ  ＰＥＴテープ方式）を示す説明図である。左には実施例の写真、右にはその断面構成の説明図を示す。本例は、厚さ２ｍｍのシリコンゴム製の台座１５と、厚さ０．０５ｍｍのポリエステルフィルム製テープの保護膜１２との間にテプラ（登録商標、キングジム社製）によるテープ形ラベル１１を封入した構成である。保護膜１２の接着にはシリコン粘着剤を用いている。また、保護膜１２に用いたフィルムは寺岡製作所製６４８♯５０である。
【００２７】
図３は、本発明耐熱性タグの実施例（Ａタイプ  サンドウィッチ方式）を示す説明図である。左には実施例の写真、右にはその断面構成の説明図を示す。図に示すように本発明耐熱性タグ２１０は、ラベル２１の両面に保護膜２２、２３が設けられ、ラベル−保護膜結合体の両面に台座２５、２６が設けられる、サンドウィッチ形の構成とすることができる。
【００２８】
図の例は、テプラ（登録商標、キングジム社製）によるテープ形ラベル２１を、厚さ０．０５ｍｍの特殊両面テープによる保護膜２２、２３で挟み、さらに厚さ１ｍｍまたは２ｍｍシリコンゴム製の台座２５、２６で挟んだ構成である。なお、ここで用いた特殊両面テープは、片面に耐熱性のシリコン系粘着剤、他方の面に耐熱性のアクリル樹脂系粘着剤を用いた、寺岡製作所製７６７♯５０である。
【００２９】
本発明の耐熱性タグ１０等に用いるラベルとしては、テープ形ラベルを好適に用いることができるが、それに限定されず、適宜の方法による文字等の記載を行えるテープであればよい。さらに光学読取り用コードを表示できるものであれば、なおよい。テープ形ラベルとしては、図２等に示すように、テプラ（登録商標、キングジム社製）によるテープ形ラベル１１等を用いることができる。
【００３０】
テプラ（登録商標）のテープは提供されている色の種類が２０種類以上と豊富であり、対象器材の管理において色別を用いた管理を行うことができ、管理作業の視覚による明確化、容易化、労力軽減を図ることができ、ヒューマンエラー防止に便利である。たとえば医療分野での手術器械等管理においては、診療科別に器械を色分けすることでヒューマンエラーを防ぐことができる。
【００３１】
なお、色を用いた管理は、もちろんテプラ（登録商標）以外のテープでも可能である。また、耐熱性タグを両面表記の構成とするためには、２枚のテープ形ラベルを抱き合わせた形でその粘着面で貼り合わせて用いればよい。
【００３２】
図４は、本発明耐熱性タグの実施例（リング仕様）を示す説明図である。上段左右には実施例の表側、裏側の各写真、下段にはその断面構成の説明図等を示す。図示するように本発明耐熱性タグ３１０は、台座３５に、外部の係止対象に係止するための係止手段３４が設けられた構成とすることができる。かかる構成とするには、図示するサンドウィッチ方式の場合であれば、２面に設けられる台座３５、３６のうちの一方３５を張り出した形にしてもよいし、あるいはサンドウィッチ方式かＰＥＴテープ方式か、その他の方式かに関わらず、とにかく台座に係止手段３４を設けることとすればよい。
【００３３】
係止手段３４は、外部の係止対象に係止するためのものであり、これにより、たとえば洗浄処理あるいはその他の器材管理工程において、本発明耐熱性タグ３１０の紛失を防止することができる。具体的には図示するように、台座３５に穴３８を設け、これに脱着可能なリング形の係止手段３４を通して取付け、必要に応じて係止手段３４を外部の係止対象に係止する構成とすることができるが、これには限定されない。要するに、台座に設けられた外部の係止対象に係止可能な構造であれば、全て該当する。
【００３４】
図の例では、テプラ（登録商標、キングジム社製）によるテープ形ラベル３１を厚さ０．０５ｍｍの特殊両面テープ製の保護膜３２、３３で両面から挟み、それを厚さ１ｍｍ（表）と厚さ２ｍｍ（裏）のシリコンゴム製台座３５、３６によって挟んだ仕様であり、台座３５に径４ｍｍの穴３８を設けた。そして、穴３８にリング形の係止手段３４を取付けることとした。なお、ここで用いた特殊両面テープは、片面に耐熱性のシリコン系粘着剤、他方の面に耐熱性のアクリル樹脂系粘着剤を用いた、寺岡製作所製７６７♯５０である。
【００３５】
かかる係止手段３４を備えた構成の耐熱性タグ３１０を用いれば、たとえば器材管理工程中の洗浄処理において、洗浄バスケットに引掛けて、超音波洗浄に供したり、あるいはまたウォッシャーディスインフェクター（自動器械洗浄機）に入れることができ、処理中、処理前後における紛失を防止することができる。なお、係止手段を設けない場合には、たとえば洗浄処理であれば、従来のシリコンシート製管理票のように、管理対象器材と一緒に容器に入れて、洗浄処理に供すればよい。
【００３６】
図５、６は、本発明耐熱性タグを熱処理試験した結果を示す写真図である。ここでは、オートクレーブ代用の簡易滅菌装置として電気圧力釜を用い、中にタグを入れて所定時間加熱処理し、熱歪みを比較した。最高温度は１２１℃以上であった。図５には、３種類の厚さのサンドウィッチ方式のタグを試験した結果を示す。台座に厚さ０．５ｍｍのシリコンゴムを用いたタグでは、内部のテープ形ラベルに多数の凹凸を呈する小規模剥離と相当程度の曲がりが生じた。小規模剥離は、これが成長すると、致命的劣化であるトンネル型剥離に転移するものと考えられる。なお、トンネル型剥離の原因の一つは１００℃以上の熱が直接かかることである。
【００３７】
一方、厚さ１．０ｍｍの台座を用いたタグでも、多少の小規模剥離と曲がりが生じたが、０．５ｍｍ程ではなかった。また、厚さ２．０ｍｍの台座を用いたタグでは小規模剥離は視られず、多少の曲がりは発生したものの、素材自体には影響がなく、十分に許容できる範囲であった。厚さ０．５ｍｍ、１．０ｍｍの台座を用いた本発明耐熱性タグは、従来のラベル形テープをシリコンシートに貼り付けたラベル貼付シートと比べて、変形が明らかに小さかった。
【００３８】
図６には、サンドウィッチ方式とＰＥＴテープ方式の各耐熱性タグを試験した結果を示す。タグの仕様は図２、３に示したものである。ここに示すように、サンドウィッチ方式の耐熱性タグでは熱歪みが生じなかった。一方、ＰＥＴテープ方式の耐熱性タグでは若干の曲がりが生じたが、これは温度の低下とともに復元した。以上のことから、適宜仕様の本発明耐熱性タグが洗浄処理や滅菌処理のような高温熱処理に対して十分な耐性を有することが確認された。
【００３９】
本発明に係る耐熱性タグとして最も性能の高い仕様は、図３に示したサンドウィッチ方式であり、台座の厚さは２ｍｍでも１ｍｍでもよい。この方式の利点は、熱歪みがほとんど発生しないこと、内部に空隙ができないために水分蓄積が発生しないこと、トンネル型剥離が発生しないことである。また、曲げに対しても柔軟性がよく、内部のテープの傷みが発生しない。一方、ＰＥＴテープ方式の場合は、台座厚さは２ｍｍ以上とすることが望ましい。ＰＥＴテープ方式の耐熱性タグも、空隙部の水分蓄積が実際上影響することはなく、実用性には問題のないことが確認できた。
【００４０】
図７、８、９は、本発明耐熱性タグに係るテープ形ラベルの設計例を示す説明図である。いずれもテプラ（登録商標、キングジム社製）を用いた８ｃｍ定尺の例であり、上段に記載内容例、下段に具体的記載例を示す。なおテプラ（登録商標）では、７ｃｍ、８ｃｍ定尺と、文字数に応じで長さを自動伸縮できる機能がある。また、７ｃｍ等の定尺の場合、文字数が多い場合には文字の大きさが自動的に小さくなって記載される機能がある。
【００４１】
図８には、耐熱性タグ−管理対象器材のセットが複数あって、それらの洗浄処理方法が全て同じ場合の、ラベル形テープの設計例を示す。図中の具体例に示すように、全セットの洗浄方法が同じ場合には、「全て洗浄可」というように「全て」を用いて、あるいは加えてこれを異なる色で記載することによって、処理方法の確認を確実ならしめることができる。
【００４２】
図９には、耐熱性タグ−管理対象器材のセットが複数あって、それらの洗浄処理方法が少なくとも一部異なる場合の、ラベル形テープの設計例を示す。図に示す例は、テープ中に洗浄方法を自由に記載するスペースを設け、この部分を切り離してテープを二分し、両片を縦に並べた構成の耐熱性タグとする構成である。これにより、タグの寸法の相違から、図７、８に示したものとは容易に識別でき、洗浄方法の相違の確認を確実ならしめることができる。
【００４３】
なお、以上説明した耐熱性タグを、その適用対象である器材とともに洗浄処理または滅菌処理の少なくともいずれかに供する「器材高温処理方法」も、また、以上説明した耐熱性タグ耐熱性タグと、その適用対象である器材とからなるセットであって、該耐熱性タグには該器材の管理に係る情報が記載されている「相互に関係づけられた耐熱性タグ−器材セット」も、本発明の範囲内である。
【００４４】
図１０は、本発明の器材管理システムの基本構成を示す概念図である。図示するように本器材管理システムＳ２０は、カメラ部Ｓ１ならびにそれによる入力情報を処理する撮像処理手段Ｓ２を備えた携帯情報端末Ｓ３と、携帯情報端末Ｓ３との間で所定の管理情報を通信する情報処理手段Ｓ５と、管理対象であるところの器材Ｓ９に付けられた二次元コードまたはその他の光学読取り用コードＳ８と、およびこれまで述べた耐熱性タグＳ１０とからなる器材管理システムであって、カメラ部Ｓ１は器材Ｓ９に付けられたサイズの該光学読取り用コードを撮像可能な仕様Ｓ４を備えており、耐熱性タグＳ１０に記載される情報は、二次元コードまたはその他の光学読取り用コードを含む器材Ｓ９の管理に係る情報であることを、主たる構成とする。なお、図では器材９は一点のみを示しているが、これが任意の複数の場合を含むことはいうまでもない。情報処理手段Ｓ５と接続・通信する携帯情報端末Ｓ３の数についても同様である。
【００４５】
撮像処理手段Ｓ２は、カメラ部Ｓ１による入力情報すなわち撮像情報に対して所定の処理を施し、これが情報処理手段Ｓ５へと通信される必要のある場合にはかかる通信が行われるまでの、携帯情報端末Ｓ３内における全ての機能を包含し得、すなわち携帯情報端末３にあって、カメラ部Ｓ１と情報処理手段Ｓ５の間に存在する処理機能、またはそれらの間における処理過程を行うものである。
【００４６】
携帯情報端末Ｓ３は、本システムＳ２０の管理対象たる器材９Ｓのコード読取りを行う者が操作し得る装置であれば、特に限定なく全ての装置が該当する。たとえば、携帯電話機、スマートフォン、タブレット端末、ノート型パーソナルコンピュータ等である。
【００４７】
携帯情報端末Ｓ３との間で所定の管理情報を通信し、かつ器材Ｓ９の管理情報の保存・各種処理等を行う情報処理手段Ｓ５としては、後述するクラウドコンピューティングが最適であるが、通常のパーソナルコンピュータ等であってもよい。また、通信手段は、クラウドコンピューティングとの関係でインターネットを用いることが最適であるが、これも、無線であるか優先であるかを問わず、限定されない。
【００４８】
管理対象であるところの器材Ｓ９は、上述のとおり限定されないが、以降は、手術器械を主として説明する。なお、器材Ｓ９に付けられる光学読取り用コードＳ８としては、クイックレスポンス（ＱＲ）コードまたはその他の二次元コードが好適に使用できる。取り扱い情報量が多いからである。もっとも、バーコード等その他の光学読取り用コードを排除するものではない。
【００４９】
光学読取り用コードＳ８を撮像可能な仕様Ｓ４は、携帯情報端末Ｓ３自体に備わった仕様であっても、また携帯情報端末３とは形態上独立していてこれに着脱自在に取付けたり、後付けしたりすることの可能な仕様、すなわち付加的な物品やソフトウェアであってもよい。後者の場合、カメラ部Ｓ１の機能を補完する仕様たる接写撮影用レンズを好適に用いることができる。
【００５０】
本発明器材管理システムＳ２０はかかる構成であるため、携帯情報端末Ｓ３のカメラ部Ｓ１を用いて管理対象器材Ｓ９上の光学読取り用コード８を読取る（撮像する）際、光学読取り用コードを撮像可能な仕様Ｓ４の機能によって、光学読取り用コードＳ８を読取ることができ、読取られた撮像情報は撮像処理手段Ｓ２によって所定の処理を受ける。また、携帯情報端末Ｓ３と情報処理手段Ｓ５の間は情報通信可能に構成されているため、情報処理手段Ｓ５において保存されたり処理された情報の送信を受けて携帯情報端末Ｓ３において受信し、これを取得、閲覧等することができ、一方、携帯情報端末Ｓ３において読取られた情報もまた同様に、情報処理手段Ｓ５に通信されて保存、処理等なされるものとすることができる。
【００５１】
そして耐熱性タグＳ１０は、これを管理対象器材Ｓ９と一緒に管理票として用いることによって、本器材管理システムＳ２０の工程実行をより確実に、より便利にすることができる。テプラ（登録商標、キングジム社製）によるテープ形ラベルは、本器材管理システムＳ２０を構成する携帯情報端末Ｓ３や情報処理手段Ｓ５によっても用いることができる。
【産業上の利用可能性】
【００５２】
本発明の耐熱性タグ、耐熱性タグを用いた器材高温処理方法、耐熱性タグを用いた器材管理システム、および相互に関係づけられた耐熱性タグ−器材セットによれば、器材管理システム等による器材管理において、取り扱い性の良い管理票を実現することができる。特に、洗浄・滅菌処理のような高温処理が必要な場合であっても、耐熱性、耐水性を備えることによって取り扱い性の良い管理票を実現することができる。また、同耐熱性タグは耐水性も具備するものとすることができる。したがって、医療分野を初めとして、器材管理を要する全ての技術分野、産業分野、および関連する全分野において、産業上利用性が高い発明である。
【符号の説明】
【００５３】
１、１１、２１、３１…ラベル
２、１２、２２、２３、３２、３３…保護膜
５、１５、２５、２６、３５、３６…台座
１０、１１０、２１０、３１０…耐熱性タグ
３４…係止手段
３８…穴
Ｓ１…カメラ部
Ｓ２…撮像処理手段
Ｓ３…携帯情報端末
Ｓ４…光学読取り用コードを撮像可能な仕様（接写撮影用レンズ等）
Ｓ５…情報処理手段
Ｓ８…光学読取り用コード
Ｓ９…器材
Ｓ１０…耐熱性タグ
Ｓ２０…器材管理システム
【図１】
2017223923.tif 000003
【図２】
2017223923.tif 000004
【図３】
2017223923.tif 000005
【図４】
2017223923.tif 000006
【図５】
2017223923.tif 000007
【図６】
2017223923.tif 000008
【図７】
2017223923.tif 000009
【図８】
2017223923.tif 000010
【図９】
2017223923.tif 000011
【図１０】
2017223923.tif 000012